(57)【特許請求の範囲】
【請求項１】
左右一対のアイカップと、両アイカップを連結する鼻ベルトと、両アイカップの対向外端部相互を接続する弾性バンドとから成り、バンド挿通孔を左右一対のアイカップの外端部にそれぞれ設け、弾性バンドを各アイカップの外端部にバンド挿通孔を介して挿通するようにしたゴーグルにおいて、
前記バンド挿通孔をアイカップの外端部に上下方向に貫通状に設け、前記弾性バンドを、断面が略円形のヒモ状部分と、断面が略長方形の帯状部分とを一体に有するように構成し、
弾性バンドの断面略円形のヒモ状部分を、各アイカップのバンド挿通孔に位置させ、断面略長方形の帯状部分を後頭部に位置させるようにしたことを特徴とするゴーグル。
【請求項２】
前記バンド挿通孔を前後方向に長い長円形とし、長手方向端部のレンズ部側曲率半径をアイカップ外端縁側曲率半径よりも小さくし、前記弾性バンドの断面略円形のヒモ状部分の半径を、バンド挿通孔の大きい方の曲率半径と同じか又は若干小さくし、弾性バンドの断面略長方形の帯状部分の幅を、バンド挿通孔の長手方向寸法と同じか又は若干小さくしていることを特徴とする請求項１に記載のゴーグル。
【請求項３】
弾性バンドの断面略円形のヒモ状部分を、各アイカップのバンド挿通孔に位置させ、断面略長方形の帯状部分を後頭部に位置させるように、弾性バンドを、長手方向の中央部と両端部が断面略長方形の帯状とされ、他の中間部が断面略円形のヒモ状とされていることを特徴とする請求項１に記載のゴーグル。
【請求項４】
前記アイカップはレンズ部の周縁から後方に突出する周壁部を備え、前記バンド挿通孔は、前記周壁部の左右方向外端側が後方に傾斜状に延設された厚肉のバンド接続部に設けられていることを特徴とする請求項１に記載のゴーグル。
【請求項５】
前記アイカップの周壁部後端面を、顔面に直接接触するようにしたことを特徴とする請求項４に記載のゴーグル。
【発明の詳細な説明】
【０００１】
【発明の属する技術分野】
本発明は、スイミング用、スキー用、オートバイ用、各種作業用などの眼を保護するためのゴーグルに関するものである。
【０００２】
【従来の技術】
従来、この種ゴーグルとしては、図１４〜図１６に例示するものが知られている（例えば、実公昭５３−１５３７００号公報、実公平１−２３４９４号公報参照）。
図１４〜図１６に示すゴーグル２１は、スイミング用であって、左右一対のアイカップ２２，２２と、両アイカップ２２，２２の対向内端部を連結する鼻ベルト２３と、両アイカップ２２，２２の外端部相互を接続する弾性バンド２４と、両アイカップ２２，２２の側壁部後端に接着された柔軟な弾力を有するクッションパッド２５とから成っている。
【０００３】
そして、前記アイカップ２２の対向内端には、鼻ベルト取付台座２６が突出状に設けられ、該台座２６に略長方形のベルト挿通孔２７が顔面方向に貫通状に設けられている。前記鼻ベルト２３は、ゴム、樹脂等の可撓性を有する材料により断面長方形に成形され、その一面（顔面側又はその逆側））に係止突部２８が複数個設けられている。この鼻ベルト２３は、前記ベルト挿通孔２７に挿通され、係止突部２８がベルト挿通孔２７の顔面側外周部に係止される。
また、前記アイカップ２２，２２は、対向外端部に顔面方向に貫通する弾性バンド挿通孔２９を備えている。
【０００４】
前記弾性バンド２４は、ゴム製の平帯状を呈する一本の長尺物で、前記バンド挿通孔２９，２９に通し、その各端部２４Ａ，２４Ａを重ね合わせて調節輪杆（バックル）３０に通して連結してある。したがって、弾性バンド２４は、ゴーグル装着者の後頭部を二重に支持するので、ゴーグル２１の安定性が向上する。
【０００５】
【発明が解決しようとする課題】
ところで、上記従来技術では、弾性バンドが重く、微調整がし難く手間がかかり、アイカップに弾性ベルトを顔面方向（前後）に挿通しているので、アイカップが弾性ベルトによりねじられる。したがって、顔面へのフィット性が悪く、スイミング用では、飛び込み時の衝撃でアイカップがずれ易く、アイカップ内に水が入るなどの問題がある。
本発明は、上述のような実状に鑑みてなされたもので、その目的とするところは、アイカップの微調整の容易化、及び顔面へのフィッティング自由度の向上を図ることができるゴーグルを提供するにある。
【０００６】
【課題を解決するための手段】
本発明では、上記目的を達成するために、次の技術的手段を講じた。
即ち、本発明は、左右一対のアイカップと、両アイカップを連結する鼻ベルトと、両アイカップの対向外端部相互を接続する弾性バンドとから成るゴーグルにおいて、前記アイカップの外端部にバンド挿通孔を上下方向に貫通状に設けたものである（請求項１）。
この場合、アイカップのバンド挿通孔に通した弾性バンドは、アイカップに対して相互に上下方向に動き易く、そのために、アイカップの顔面に対する微調整が容易である。しかも、前記バンド挿通孔に通した弾性バンドは、前記孔の上下端部を後方へ均等に引張るので、アイカップを前後方向にねじることはなく、安定性及びフィッティング自由度が向上する。したがって、クッションパッドなしでも、顔面に安定よくフィットする。
【０００７】
また、本発明は、前記バンド挿通孔を長円形とし、長手方向端部のレンズ部側曲率半径をアイカップ外端縁側曲率半径よりも小さくしたものである（請求項２）。したがって、弾性バンドの断面を略円形にすることで、アイカップが弾性バンドに対して回動自在とすることができ、アイカップの動きに融通性が生まれ、顔面へのフィット性が良くなる。弾性バンドを容易に挿通できる。
そして、本発明は、前記弾性バンドを、断面が略円形の部分と、断面が略長方形の部分により構成したものであるから、弾性バンドの重量が軽減される（請求項３）。そのうえ、弾性バンドが万一ねじれても、断面略円形部分でねじれ応力を吸収するため、アイカップの微調整ができ安定化する。
【０００８】
さらに、本発明は、前記弾性バンドの断面略円形部分の半径を、バンド挿通孔の大きい方の曲率半径と同じか又は若干小さくし、弾性バンドの断面略長方形の部分の幅を、バンド挿通孔の長手方向寸法と同じか又は若干小さくしたものであるから、弾性バンドをアイカップのバンド挿通孔に容易に挿通することができる（請求項４）。
また、本発明は、前記弾性バンドの断面略円形の部分を、バンド挿通孔に位置させ、断面略長方形の部分を後頭部に位置させるようにしたものであるから、アイカップが弾性バンドの断面略円形部分を中心として回動自在で、フィット性が良く、水中ゴーグルに採用するとき、水の抵抗が減少する（請求項５）。しかも、弾性バンドの断面略長方形の部分が、ゴーグル装着者の後頭部に位置するので、ゴーグルが安定する。
【０００９】
そして、本発明は、前記アイカップの周壁部後端面を、顔面に直接接触するようにしたものであるから、競技用スイミングゴーグルに最適であり、重量が軽減し、コスト低下を図れる（請求項６）。また、フィッティング自由度があるので、クッションパッドなしでも、顔面に安定良くフィットする。
また、本発明は、左右一対のアイカップと、両アイカップを連結する鼻ベルトと、両アイカップの対向外端部相互を接続する弾性バンドとから成るゴーグルにおいて、前記アイカップの外端部にバンド挿通孔を上下方向に貫通状に設け、該バンド挿通孔は断面形状が前後方向に長い長孔であり、前記弾性バンドを、断面が略円形の部分と、断面が略長方形の部分により構成し、弾性バンドの断面略円形の部分をバンド挿通孔に位置させ、断面略長方形の部分を後頭部に位置させるようにしたものであるから、弾性バンドをアイカップのバンド挿通孔に容易に挿通することができ、しかも、アイカップが弾性バンドの断面略円形部分を中心として回動自在でフィット性が良く、弾性バンドの断面略長方形の部分がゴーグル装着者の後頭部に位置するのでゴーグルが安定する（請求項７）。
【００１０】
そして、前記弾性バンドは、長手方向の中央部と両端部が断面略長方形とされ、他の中間部が断面略円形とされているのが好ましい（請求項８）。
また、本発明は、左右一対のアイカップと、両アイカップを連結する鼻ベルトと、両アイカップの対向外端部相互を接続する弾性バンドとから成るゴーグルにおいて、前記アイカップの外端部にバンド挿通孔を上下方向に貫通状に設け、
前記弾性バンドは、断面が略円形状の部分を有し、該断面略円形状部分がバンド挿通孔に位置させられているものであるから、アイカップが弾性バンドの断面略円形部分を中心として回動自在で、フィット性が良い（請求項９）。
【００１１】
そして、前記弾性バンドの断面略円形部分の半径をバンド挿通孔の後方端側の孔曲率半径と同じか又は若干小さくしているのが好ましい（請求項１０）。
また、本発明に係るゴーグル用アイカップは、レンズ部の周縁から後方に突出する周壁部を備え、左右方向一端部にバンド挿通孔を備えたゴーグル用アイカップにおいて、前記バンド挿通孔は、上下方向に貫通状に設けられているとともに、前後方向に長い長孔であり（請求項１１）、前記バンド挿通孔は、前記周壁部の左右方向一端側が後方に傾斜状に延設された厚肉のバンド接続部に設けられている（請求項１２）。
【００１２】
【発明の実施の形態】
以下、本発明の実施の形態を図面に基づき説明する。
図１〜図１３は、本発明の一実施形態を示している。
図１において、ゴーグル１は、左右一対のアイカップ２，２と、鼻ベルト３と、弾性バンド４と、バンド留具５とにより構成されている。
アイカップ２，２は、透明な硬質プラスチック製で、図２、図３にも示すように、前面の平板状レンズ部６と、レンズ部６の周縁から後方に突出する周壁部７とを備えている。該周壁部７の後端部７Ａは、顔面にフィットするように滑らかな曲面とされ、パッドが不要となっている。また、前記周壁部７の左右対向内側には、鼻ベルト３の取付台部８が突設されている。そして、周壁部７の各外端は、バンド接続部９とされている。
【００１３】
前記アイカップ２の取付台部８は、レンズ部６の前面よりも前方に向かって斜めに突出するように設けられている。該取付台部８の後面（顔面側傾斜面）８Ａに、顔面に向かって突出する断面略円形の棒状突起１０が設けられている。この突起１０は、前記後面８Ａに対して、周壁部７側が鋭角となっている。また、突起１０の後端面１０Ａは、図５に示しているように、前記取付台部後面８Ａと略平行とすべく突起１０の中心軸線に対して傾斜されている。
前記棒状突起１０の後端部には、対向内側に係止突部１１が設けられている。
【００１４】
前記アイカップ２は、各周壁部７の左右方向外端側（前記取付台座８の反対側）が、後方に傾斜状に延出されて前記バンド接続部９とされている。このバンド接続部９は、厚肉とされ、バンド挿通孔１２が上下方向（レンズ部６の中心軸線）と直交する方向に設けられている。バンド挿通孔１２は、図７に示すように、断面形状が前後方向に長い（長さＬ）略卵形の長孔で、後方端側の孔曲率半径Ｒ１が、前方レンズ部６側の孔曲率半径Ｒ２よりも大きくされている。このバンド挿通孔１２の形状寸法は、後述の弾性バンド４の形状寸法に対応して決定されている。
【００１５】
前記鼻ベルト３は、図１、図３、図５、図９に示されているように、平面視略弯曲状で、軟質（又は半硬質）プラスチック等の弾性材料により成形されている。また、鼻ベルト３は、長手方向（左右方向）両端部３Ａが、後方に向かって傾斜状（ハ字状）に延び、該両端部３Ａに前後方向に貫通する突起係合孔１３，１３が設けられている。この係合孔１３は、前記両端部３Ａの前後面に対して傾斜している。
また、前記両端部３Ａの前面には、鼻ベルト３の前端面に対して、前記取付台部８の前後方向厚さと略同じ寸法の段差Ｈが設けられている（図５参照）。この段差Ｈは、アイカップ２の前記取付台部８前面と、鼻ベルト３前面を、面一（フラッシュサーフェース）にするのに役立つ。これは、スイミングゴーグルに採用することにより、水の抵抗をなくするのに効果がある。
【００１６】
なお、突起係合孔１３は、円形であるから、円形断面の棒状突起１０と嵌合させるとき、アイカップ２と鼻ベルト３が、突起１０を軸として相対的に回動自在となる。そして、鼻ベルト３の両端部３Ａ後面には、左右内端側に、係止突部１１の係止する切欠部１４が設けられている。
前記弾性バンド４は、ゴム等の弾性材により伸縮自在に構成されている。図１に示すように、弾性バンド４は、長手方向の中央部４Ａと両端部４Ｃが断面略長方形の帯状とされ、他の中間部４Ｂが断面略円形のヒモ状とされて一体的に成形されている。このバンド４の中央部４Ａ及び両端部４Ｃの幅Ｗは、アイカップ２のバンド挿通孔１２の長手方向長さＬよりも若干狭い寸法とされ、バンド挿通孔１２に容易に通しうるようにしてある（図７参照）。
【００１７】
なお、幅Ｗは、バンド挿通孔１２の長手方向長さＬと略同じ程度としても、弾性バンド４の弾性変形により容易に挿通可能である。
また、中間部４Ｂの半径は、アイカップ２のバンド挿通孔１２の後端側曲率半径Ｒ１のと同じか又は若干小さい寸法とされている。なお、帯状の中央部４Ａと両端部４Ｃの厚さｔは、バンド挿通孔１２のレンズ部６側曲率半径Ｒ２の２倍と同じか又は若干小さい寸法とされている（図７参照）。そして、バンド挿通状態では、ヒモ状中間部４Ｂがアイカップ２のバンド挿通孔１２に位置し、挿通孔１２の長手方向（アイカップ２の前後方向）の動きが少なく、ゴーグル非装着時における弾性バンド４のアイカップ２に対する移動がなく安定する。
【００１８】
さらに、バンド挿通孔１２に位置するヒモ状中間部４Ｂは、断面略円形であるから、アイカップ２と弾性バンド４との相対回動が自在となる。したがって、アイカップ２の顔面へのフィッティング自由度が良くなる。そして、弾性バンド４がねじれても、ねじれ応力はヒモ状中間部４Ｂで吸収され、安定した微調整が可能である。このため、クッションパッドを使用しない競技用のアイカップ２には最適である。
前記バンド留具５（バックル）は、硬質プラスチック製で、弾性バンド４の両端部４Ｃを夫々個別に挿通し、二重にして留めるようになっている。そして、該留具５は、バンド４の装着長さを、装着者の頭部の大きさに応じて、任意に調整できると共に、弾性バンド４の両端部４Ｃを相互に接続する。したがって、帯状の中央部４Ａ及び両端部４Ｃが、ゴーグル装着者の後頭部を安定良く二重に支持し、フィット性が向上する。
【００１９】
なお、前記アイカップ２の成形に際しては、パーティングラインＰは、図４、図１０に示すように、周壁部７端面７Ａ又はフランジ部外端面から、フランジ部７Ｆの肉厚Ｔの半分以上の寸法Ｄの位置とされている。したがって、周壁部端面７Ａは、ゴーグル装着者の顔面に直接当たっても、顔面にソフトに接触し、顔面に傷みや違和感を生じさせない。
上記実施形態によれば、ゴーグル１を装着するとき、左右のアイカップ２，２は、鼻ベルト３に対して棒状突起１０を軸として、図６に矢印で示すように相対回転する。そのため、アイカップ２は上下方向に融通性をもって動き、装着者の顔面にアイカップ後端面７Ａがフィットする。また、アイカップ２は、弾性バンド４中間部４Ｂに対しても、図３に矢印イ，ロで示す前後方向に回動して、アイカップ２の位置調整が容易となる。
【００２０】
さらに、ゴーグル１を装着して使用しているとき、アイカップ２と鼻ベルト３には、図５に示すように、弾性バンド４の張力Ｆが矢印で示す方向に作用し、そのために、鼻ベルト３の両端部３Ａには、図３に矢印ＦＡで示す方向に力が作用する。即ち、突起係合孔１３の各外端側が、アイカップ２の取付台部８と棒状突起１０の間に押し込められる。また、棒状突起１０の係止突部１１が、鼻ベルト３の突起係合孔１３後方の切欠部１４に係止されている。したがって、ゴーグル１の使用中は、前記係合孔１３から棒状突起１０が抜け出して、アイカップ２と鼻ベルト３が分離することはない。
【００２１】
そして、弾性バンド４は、アイカップ２のバンド挿通孔１２に上下方向に挿通されているので、アイカップ２をねじることがなく、フィット性が良好である。また、弾性バンド４は、その帯状部分４Ａ，４Ｃが後頭部に接するので、安定性がよく、断面略円形の中間部４Ｂが顔の側部に位置しているので、スイミング用ゴーグルの場合水の抵抗が減少し、競技用として最適である。
上記実施形態において、棒状突起１０の係止突部１１は、図１１に示すように、突起１０の端部全周にわたって設けることができる。また棒状突起１０の係止突部１１は、図１２に示すように、アイカップ２の周壁部７側に突出状に設けることができる。さらに、鼻ベルト３は、図１３に示すように、帯板状とすることができる。
【００２２】
本発明は、上記実施形態に限定されるものではなく、例えば、棒状突起１０はベルト取付台部８の前面側に突設することができる。また鼻ベルト３に棒状突起を設け、アイカップ２のベルト取付台部８に突起係合孔を設けることができる。さらにアイカップ２には、その周壁部７の後端面７Ａにクッションパッドを接着することができる。
前記アイカップのバンド挿通孔を略円形、卵形、だ円形、略長円形等とすることができるほか、弾性バンドの断面形状を全長にわたって略円形とすることができ、適宜設計変更可能である。
【００２３】
そして、本発明は、鼻ベルト及びその取付台座が、従来公知の他の形式のものにも採用できる。
【００２４】
【発明の効果】
本発明は、上述のように、アイカップの外端部にバンド挿通孔を上下方向に貫通状に設けたものであるから、アイカップの前後方向及び上下方向の動きに融通性が生まれ、また、弾性バンドがアイカップを前後方向にねじるのを防止でき、安定性及びフィッティング自由度の向上を図ることができる（請求項１）。
また、請求項２記載の発明によれば、前記バンド挿通孔を長円形とし、長手方向端部のレンズ部側曲率半径をアイカップ外端縁側曲率半径よりも小さくしたものであるから、弾性バンドの挿通が容易となり、アイカップの動きに融通性が生まれ、微調整が容易となる。
【００２５】
そして、請求項３記載の発明によれば、前記弾性バンドを、断面が略円形の部分と、断面が略長方形の部分により構成したものであるから、重量軽減を図ることができ、弾性バンドがねじれても、断面略円形部分でねじれ応力を吸収し、安定感が向上すると共に微調整が容易である。
さらに、請求項４記載の発明によれば、前記弾性バンドの断面略円形部分の半径を、バンド挿通孔の大きい方の曲率半径と同じか又は若干小さくし、弾性バンドの断面略長方形の部分の幅を、バンド挿通孔の長手方向寸法と同じか又は若干小さくしたものであるから、弾性バンドのバンド挿通孔への挿通が容易となり、弾性バンドの定位置保持が可能となる。
【００２６】
請求項５記載の発明によれば、前記弾性バンドの断面略円形の部分を、バンド挿通孔に位置させ、断面略長方形の部分を後頭部に位置させるようにしたものであるから、アイカップの前後方向の動きに融通性が生じ、微調整が容易となり、水泳競技用ゴーグルの場合、水の抵抗を減少させることができ、後頭部を二重に支持するのでゴーグルの安定性が良くなる。
また、請求項６記載の発明によれば、前記アイカップの周壁部後端面を、顔面に直接接触するようにしたものであるから、クッションパッドが不要となり、重量低減及びコスト低下を図ることができ、水泳競技用ゴーグルとして最適である。
【００２７】
請求項７記載の発明によれば、弾性バンドをアイカップのバンド挿通孔に容易に挿通することができ、しかも、アイカップが弾性バンドの断面略円形部分を中心として回動自在でフィット性が良く、弾性バンドの断面略長方形の部分がゴーグル装着者の後頭部に位置するのでゴーグルが安定する。
請求項９記載の発明によれば、該断面略円形状部分がバンド挿通孔に位置させられているものであるから、アイカップが弾性バンドの断面略円形部分を中心として回動自在で、フィット性が良い。
【図面の簡単な説明】
【図１】本発明の一実施形態を示す正面斜視図である。
【図２】同実施形態におけるアイカップの拡大正面図である。
【図３】図２の平面図である。
【図４】図２のＡ−Ａ線断面図である。
【図５】図３のＢ部拡大図である。
【図６】図５のＣ−Ｃ線矢視図である。
【図７】同実施形態におけるアイカップのバンド挿通孔の形状を示す正面図である。
【図８】同実施形態における鼻ベルトの正面図である。
【図９】図８の上平面図である。
【図１０】同実施形態におけるアイカップの他の形状例を示す断面図である。
【図１１】同アイカップの棒状突起係止突部の他の形状例を示す斜視図である。
【図１２】同アイカップの係止突部のさらに他の形状例を示す斜視図である。
【図１３】同実施形態における鼻ベルトの他の形状例を示す斜視図である。
【図１４】従来例の頭部への装着状態を示す側面図である。
【図１５】従来例の拡大平面図である。
【図１６】従来例のアイカップを示す正面図である。
【符号の説明】
１  ゴーグル
２  アイカップ
３  鼻ベルト
４  弾性バンド
４Ａ  中央部（断面略長方形部分）
４Ｂ  中間部（断面略円形部分）
４Ｃ  両端部（断面略長方形部分）
６  レンズ部
７  周壁部
７Ａ  周壁部後端面
９  外端部
１２  バンド挿通孔
Ｌ  バンド挿通孔長手方向寸法
Ｒ１  曲率半径
Ｒ２  曲率半径
Ｗ  弾性バンド断面長方形部分の幅
【図１】
0003569370.tif 000002
【図２】
0003569370.tif 000003
【図３】
0003569370.tif 000004
【図４】
0003569370.tif 000005
【図５】
0003569370.tif 000006
【図６】
0003569370.tif 000007
【図７】
0003569370.tif 000008
【図８】
0003569370.tif 000009
【図９】
0003569370.tif 000010
【図１０】
0003569370.tif 000011
【図１１】
0003569370.tif 000012
【図１２】
0003569370.tif 000013
【図１３】
0003569370.tif 000014
【図１４】
0003569370.tif 000015
【図１５】
0003569370.tif 000016
【図１６】
0003569370.tif 000017